(57)【特許請求の範囲】
【請求項１】
走行部の後部に植付部を連結し、走行部上の運転座席の上方を覆う乗用田植機の日除け装置において、日除け装置は、機体フレームから立設される左右の前支柱と上端がＬ字状に折り曲げられる左右の後支柱と、該前支柱と後支柱の上部に固定されるルーフフレームと、ルーフフレームを覆うルーフからなり、前記後支柱には上下高さ調節手段が設けられ、前記後支柱の上部とルーフフレームとの間には第１の左右幅調節手段が設けられ、前記第１の左右幅調節手段は、前記ルーフフレームに設けられる取付ステーと、前記後支柱の上端に設けられ前記取付ステーに対して左又は右より固定可能なブラケットとを有することを特徴とする乗用田植機の日除け装置。
【請求項２】
前記機体フレームと後支柱の下部との間には第２の左右幅調節手段が設けられることを特徴とする請求項１に記載の乗用田植機の日除け装置。
【請求項３】
前記前支柱は前記ルーフフレームを回動自在に枢支することを特徴とする請求項１又は請求項２に記載の乗用田植機の日除け装置。
【発明の詳細な説明】
【技術分野】
【０００１】
本発明は、乗用田植機の運転席上方を覆う日除け装置に関し、特に、ルーフの角度を変更できるとともに、植付条数の異なる機種に対して共通部品を用いて取付可能とする日除け装置に関する。
【背景技術】
【０００２】
従来から、田植機の走行機体の前部に設けたセンターポストの左右から立設されて後上方に延設延出された前部支柱枠と、後部フェンダ部の後端左右から立設された門型の後部支柱枠とが連結された、４柱構造の雨除けガードが公知となっている（例えば特許文献１参照）。
【先行技術文献】
【特許文献】
【０００３】
【特許文献１】特開２００６−３２０２３４号公報
【発明の概要】
【発明が解決しようとする課題】
【０００４】
しかし、前記特許文献１に記載の田植機の雨除けガードでは、前部支柱枠はステップから立設され、後部支柱枠が後部フェンダ部から立設される構成であるため、他の機種に取り付けることはできない。つまり、田植機の各機種毎に雨除けガードを設計して部品を調達して組み立てることになっていた。従って、部品の種類が多くなりコストがかさむ構成となっていた。
【０００５】
本発明は以上の如き状況に鑑みてなされたものであり、部品の種類を減少して、条数の異なる田植機にも取り付けられる日除け装置を提供しようとする。
【課題を解決するための手段】
【０００６】
本発明の解決しようとする課題は以上の如くであり、次にこの課題を解決するための手段を説明する。
【０００７】
即ち、請求項１においては、走行部の後部に植付部を連結し、走行部上の運転座席の上方を覆う乗用田植機の日除け装置において、日除け装置は、機体フレームから立設される左右の前支柱と上端がＬ字状に折り曲げられる左右の後支柱と、該前支柱と後支柱の上部に固定されるルーフフレームと、ルーフフレームを覆うルーフからなり、前記後支柱には上下高さ調節手段が設けられ、前記後支柱の上部とルーフフレームとの間には第１の左右幅調節手段が設けられ、前記第１の左右幅調節手段は、前記ルーフフレームに設けられる取付ステーと、前記後支柱の上端に設けられ前記取付ステーに対して左又は右より固定可能なブラケットとを有するものである。
【０００８】
請求項２においては、前記機体フレームと後支柱の下部との間には第２の左右幅調節手段が設けられるものである。
請求項３においては、前記前支柱は前記ルーフフレームを回動自在に枢支するものである。
【発明の効果】
【０００９】
本発明の効果として、以下に示すような効果を奏する。
即ち、後支柱の長さを調節してルーフの高さを低く変更することで、施肥機に雨がかかりにくくすることができ、逆に、ルーフの後部を高くすることで、施肥機への肥料の補給が容易に行えるようになる。また、午前や午後で日差しの高さに合わせてルーフの角度を変更でき、作業性を向上できる。また、後支柱の左右幅を変更することで、条数の異なる田植機にも取り付けることが可能となり、部品の種類を減少して、コスト低減化が図れる。
【図面の簡単な説明】
【００１０】
【図１】本発明の日除け装置を取り付けた田植機の全体側面図。
【図２】同じく平面図。
【図３】機体フレームの斜視図。
【図４】日除け装置の斜視図。
【図５】（ａ）後支柱をルーフフレームの内側から取り付ける場合の斜視図、（ｂ）後支柱をルーフフレームの外側から取り付ける場合の斜視図。
【図６】後支柱下部の上下伸縮部と左右幅調節部の斜視図。
【図７】後支柱下部の支持構成を示す斜視図。
【図８】同じく他の支持構成を示す斜視図。
【図９】後支柱の左右幅調節部を示す斜視図。
【図１０】日除け装置のルーフの第一実施形態を示す（ａ）底面図と（ｂ）Ｘ−Ｘ矢視断面図。
【図１１】日除け装置のルーフの第二実施形態を示す側面図。
【図１２】日除け装置のルーフの第三実施形態を示す底面図。
【図１３】日除け装置のルーフの第四実施形態を示す底面図。
【図１４】日除け装置のルーフの第四実施形態を示す底面図。
【図１５】日除け装置のルーフの第五実施形態を示す底面図。
【発明を実施するための形態】
【００１１】
図１、図２において、本発明の日除け装置２０を備える田植機１の全体構成から説明する。なお、矢印Ｆ方向を前方とし、前進方向に対して左右方向を規定する。
田植機１は、走行部２と、走行部２の後部に作業機装着装置３を介して昇降可能に装着された植付部４とを備える。
【００１２】
前記走行部２は、機体フレーム５の下部にミッションケース９を設け、左右側部にフロントアクスルケース６を連動連結し、該フロントアクスルケース６を介して左右両側に一対の前輪７・７が支持される。ミッションケース９の後面部には前後方向に連結フレーム１８を介してリアアクスルケース１０を連結し、リアアクスルケース１０を介して左右両側に後輪８・８が支持される。
【００１３】
前記機体フレーム５の前部上にはエンジンが載置され、該エンジンはボンネット１１により覆われている。該ボンネット１１の後部にはダッシュボード１２が設けられ、該ダッシュボード１２上にモニタや操作レバーやスイッチ等が配置されている。更に、操作パネルからステアリングハンドル１３が上方に突出されている。該ステアリングハンドル１３の後方の機体フレーム５上には運転座席１４が配置されている。
【００１４】
前記運転座席１４の後方の機体フレーム５上には、圃場面に植付けられた苗の側方に肥料を施肥する施肥装置１５が設けられている。施肥装置１５は、粒状の肥料を入れるホッパー３１と、該ホッパー３１の下方に配置される繰出装置と、繰出された肥料を風力で搬送するための送風機３２と、搬送される肥料を植付部４の植付位置側方へ案内するフレキシブル型のホース３３等を備える。
【００１５】
植付部４は、フロート４１の前部上にエンジンからの動力が伝えられる植付入力ケース４２と、該植付入力ケース４２から後方に平行に突出される植付伝動ケース４３・４３・・・と、該植付伝動ケース４３・４３・・・の後部両側に配置される植付爪を設けた植付ロータ４４・４４と、植付伝動ケース４３上に支持される苗載台４５等を備えている。
【００１６】
前記機体フレーム５は、図３に示すように、メインフレーム５１と後部フレーム５２とサイドフレーム５３と、補助フレーム５４と、施肥フレーム５５等からなる。
メインフレーム５１は、平面視略四角形状に枠組み構成されて、中央部にエンジンが載置固定される。前記メインフレーム５１の前部の左右両側にはサイドフレーム５３・５３が設けられる。メインフレーム５１の後部の左右方向に延設された横フレームより後方に後部フレーム５２が延設される。前記メインフレーム５１の後側部から後部フレーム５２の側部に左右一対の補助フレーム５４・５４が固設される。なお、本実施形態では８条植え（または７条植え）の田植機について説明しているが、５条植えまたは６条植えの田植機の場合、補助フレーム５４・５４は取り外される。
【００１７】
前記後部フレーム５２の後部上及び補助フレーム５４の後部上に施肥フレーム５５が設けられる。前記メインフレーム５１の後部上やサイドフレーム５３・５３上や後部フレーム５２の上面にはステップを兼ねた上部カバー１６（図１）により覆われ、作業者が通行可能としている。
【００１８】
前記サイドフレーム５３・５３上には予備苗台フレーム５６が固設される。予備苗台フレーム５６はサイドフレーム５３の前部と後部に立設される前柱５６ａ・５６ａ、後柱５６ｂ・５６ｂと、該前柱５６ａと後柱５６ｂの上部を連結するブラケット２５からなる。前柱５６ａ・５６ａと後柱５６ｂ・５６ｂとの間に予備苗台１７・１７・・・が上下平行に複数段取り付けられる。
【００１９】
前記予備苗台フレーム５６の上部と前記機体フレーム５の後部に、本発明の日除け装置２０が取り付けられる。
日除け装置２０は、図１〜図４に示すように、前支柱２１と後支柱２２とルーフフレーム２３とルーフ２４からなる。前支柱２１は正面視及び平面視において、パイプが略Ｕ字状に折り曲げ形成される。前支柱２１の下端はブラケット２５・２５を介して前記前柱５６ａ・５６ａと後柱５６ｂ・５６ｂの上端に着脱可能に固定される。こうして、予備苗台フレーム５６を利用して日除け装置２０の前部を支持できるようにし、高い位置で前支柱２１を支持し、強度を確保している。前記ブラケット２５は、本実施形態では、側面視Ｌ字状に曲げたパイプ２５ａと側面視Ｌ字状に形成したプレート２５ｂが溶接固定され、パイプ２５ａの上端に前支柱２１の下端がボルトにより連結固定され、プレート２５ｂの前下面と後下面に前記前柱５６ａと後柱５６ｂの上端がボルトにより固定する構成としている。従って、ボルトを外すことにより前支柱２１とブラケット２５を外すことができ、日除け装置２０の着脱と仕様変更が容易にできるようになっている。
【００２０】
また、前記前支柱２１は側面視で略Ｌ字状に構成され、前記機体フレーム５に予備苗台フレーム５６を介して取り付けられる。つまり、前支柱２１は予備苗台フレーム５６の前柱５６ａ・５６ａから支持し、後柱５６ｂ・５６ｂの上方でルーフフレーム２３の前部を支持する構成としている。こうして、日除け装置２０と予備苗台１７との間に苗継ぎ作業をするための空間を構成することができ、日除け装置２０が苗継ぎ作業時に邪魔にならないようにしている。前支柱２１の上部の左右中央には、バックミラーの取付部が形成されている。また、前支柱２１の後部において左右方向に配設したパイプフレームの左右両側がルーフフレーム２３の前下部を上下回動自在に枢支され、後述する後支柱２２を伸縮させルーフ２４を傾斜させたときの回動支点となるようにしている。
【００２１】
前記ルーフフレーム２３は、ルーフ２４を支持固定するためのものであり、ルーフ２４は運転座席１４上方を覆うものであり、平面視略三角形状に形成して、機体フレーム５の前部から後部までの上方を覆う広さに形成している。つまり、図２に示すように、ルーフ２４の前部は予備苗台１７を除くボンネット１１上方から後部に配置した施肥装置１５のホッパー上方までを覆う構成とし、運転座席１４に着座した作業者や施肥装置１５が雨に濡れないようにしている。ルーフ２４は本実施形態では布製（シート状）としているが、合成樹脂で構成することも可能である。また、平面視略三角形としているが、四角形でも可能であり、運転座席１４や施肥装置１５を覆える形状であれば限定するものではない。
【００２２】
ルーフフレーム２３は、前記ルーフ２４の周囲を支持する外枠２３ａと、該外枠２３ａ内で前後方向に架設される複数の縦フレーム２３ｂ・２３ｂと、外枠２３ａ内で左右方向に架設される横フレーム２３ｃ・２３ｃからなり、最前部に配設される横フレーム２３ｃの左右両側に設けた枢支体６１・６１により前記前支柱２１に枢支される構成としている。
【００２３】
また、後支柱２２の上部とルーフフレーム２３との間には左右幅調節手段が設けられる。つまり、前記外枠２３ａの後部左右両側に取付ステー６２・６２が設けられ、該取付ステー６２・６２に前記後支柱２２の上端がブラケット６３を介して着脱可能に固定される。即ち、図５に示すように、取付ステー６２は板体が正面視逆Ｌ字状に折り曲げられ、水平面の一端がルーフフレーム２３の外枠２３ａに固設され、垂直面にボルト孔６２ａ・６２ａと嵌合凹部６２ｂが形成されて、ブラケット６３を固定できるようにしている。ブラケット６３はパイプ部６３ａと取付プレート６３ｂからなり、パイプ部６３ａの一端に取付プレート６３ｂが軸心に対して直交するように固設され、取付プレート６３ｂの上部に前記取付ステー６２に設けたボルト孔６２ａ・６２ａに対応するようにボルト孔が開口されている。前記後支柱２２の上端にはＬ字状に折り曲げ形成された取付ロッド２２ｇが設けられ、該取付ロッド２２ｇがパイプ部６３ａに挿入されて枢支され、取付プレート６３ｂが取付ステー６２にボルト６４・６４により固定される。
【００２４】
このような構成において、前記ブラケット６３が取付ステー６２に対して左または右より固定可能とすることで左右幅調節手段としている。つまり、後支柱２２の上端にはＬ字状に折り曲げた取付ロッド２２ｇが固定され、該取付ロッド２２ｇの一端を枢支するブラケット６３が取付ステー６２の外側からボルト６４・６４により固定することで幅狭の機体に取り付けることができ、前記ブラケット６３を取付ステー６２の内側から固定することで幅広の機体に取り付けることができるようにして、部品の共通化を図り、部品点数をできるだけ少なくなるようにしている。
【００２５】
例えば、５条植えや６条植え等の左右幅の狭い機体フレーム５を有する田植機に取り付ける場合には、図５（ａ）に示すように、取付ロッド２２ｇが機体内側からブラケット６３のパイプ部６３ａに挿入されて枢支され、取付プレート６３ｂが取付ステー６２の垂直面に内側から当接し、パイプ部６３ａが嵌合凹部６２ｂに嵌合されてボルト６４・６４により固定する。また、７条植えや８条植え等の左右幅の広い機体フレーム５を有する田植機に取り付ける場合には、図５（ｂ）に示すように、取付ロッド２２ｇを機体外側からパイプ部６３ａに挿入した状態として、ブラケット６３の取付プレート６３ｂを取付ステー６２の外側面に当ててパイプ部６３ａを嵌合凹部６２ｂに嵌合させた状態でボルト６４・６４により固定する。
【００２６】
また、前記後支柱２２は、上下高さ調節可能に構成されるとともに、左右位置調節可能に機体フレーム５に取り付けられる。即ち、図６に示すように、後支柱２２は、基部パイプ２２ａと上下調節ロッド２２ｂと上部パイプ２２ｃと取付ロッド２２ｇからなる。前記基部パイプ２２ａは正面視略Ｌ字状にパイプが折り曲げ形成され、該基部パイプ２２ａの上部に上下調節ロッド２２ｂの下部が着脱可能に固定される。本実施形態では、基部パイプ２２ａの上部にブラケットを固定し、上下調節ロッド２２ｂからはステーを突設して、ボルトとノブネジにより基部パイプ２２ａと上下調節ロッド２２ｂを固定する構成としている。
前記上下調節ロッド２２ｂの上部に上下高さ調節手段が設けられ、上下調節ロッド２２ｂの下部が挿入固定されている。該上下調節ロッド２２ｂには上下方向に所定間隔をあけて固定孔２２ｅ・２２ｅ・・・が開口され、上方から上部パイプ２２ｃの下部が挿入される。上部パイプ２２ｃの下端には前記固定孔２２ｅにピンを挿入して固定する手段としてのロックピンユニット３３が設けられ、上下高さ調節手段としている。
【００２７】
ロックピンユニット３３は、図７に示すように、取付プレート３４とピン支持体３５とロックピン３６とバネ３７と座金３９とスナップピン４０からなる。取付プレート３４は上部パイプ２２ｃの下端に面が左右方向（半径方向）を向くように固定される。取付プレート３４には複数のボルト孔３４ａ・３４ａが開口されている。
【００２８】
ピン支持体３５は前記取付プレート３４に取り付けるための取付面３５ａとロックピン３６を支持するための受部３５ｂとからなる。
取付面３５ａにはボルト孔が開口され、前記取付プレート３４のボルト孔３４ａと位置を合わせてボルト３８・３８により固定される。
前記受部３５ｂは板体がコ字状となるように構成して、その間にバネ３７と座金３９とスナップピン４０を配設できるようにする。受部３５ｂの板体にはロックピン３６を挿入するためのピン孔と、ロックピン３６を固定位置で保持するための凹部３５ｃとを備える。
ロックピン３６は棒体をＪ字状に折り曲げ形成して一端を長く、他端が短く構成され、長い側をピン孔及とバネ３７と座金３９に挿入し、ロックピン３６の先端が受部３５ｂから所定長さ突出した状態で保持できるようにスナップピン４０により座金３９が係止される。ロックピン３６の先端は前記調節ロッド２２ｂの固定孔２２ｅに挿入できるようにし、短い側は受部３５ｂの前側の上下に形成した凹部３５ｃに嵌め込んで保持できるようにしている。
【００２９】
このような構成において、ロックピン３６はバネ３７により前記固定孔２２ｅに挿入される方向に付勢され、高さを変更する場合には、バネ３７に抗してロックピン３６の円弧側を引っ張り固定孔２２ｅからロックピン３６の長い側の先端を抜いて若干回転させて円弧側の端部を受部３５ｂの前面に当接させた状態で保持する。この状態で上部パイプ２２ｃを昇降し、所望の高さ位置でロックピン３６を元の方向に回転させて固定孔２２ｅに挿入して固定する。このとき、円弧側の端部を受部３５ｂの凹部に挿入して、保持させる。こうして、後支柱２２を伸縮してルーフ２４の後部の高さを調節可能としている。特に、ロックピン３６は解除状態で保持できるため、一人で高さ調節する場合に、両方を解除状態にして調節してから片方ずつロックすることで、容易に高さ調節ができるようになる。但し、後支柱２２の上下高さ調節構造は限定するものではなく、ボルトやネジで伸縮部を固定したり、後支柱２２の中途部で折り曲げたりすることもできる。
このルーフ２４後部の高さ調節を行うとき、図１に示すように、ルーフ２４は前部の枢支体６１を中心に上下傾倒され、特に、ルーフ２４の後部を下げた状態に調節したときには、施肥装置１５に雨がかかり難くなり、肥料が濡れることを防止できる。
【００３０】
このように、走行部２の後部に植付部４を連結し、走行部２上の運転座席１４の上方を覆う乗用田植機１の日除け装置２０において、日除け装置２０は、機体フレーム５から立設される左右の前支柱２１・２１と左右の後支柱２２・２２と、該前支柱２１・２１と後支柱２２・２２の上部に固定されるルーフフレーム２３と、ルーフフレーム２３を覆うルーフ２４からなり、前記後支柱２２には上下高さ調節手段が設けられるので、後支柱２２の長さを調節してルーフ２４の高さを低く変更することで、施肥装置１５に雨がかかりにくくすることができ、逆に、ルーフ２４の後部を高くすることで、施肥装置１５への肥料の補給が容易に行えるようになる。また、午前や午後で日差しの高さに合わせてルーフ２４の角度を変更でき、作業性を向上することができる。
【００３１】
そして、ロックピンユニット３３は、後支柱２２を条数の異なる機体の幅に合わせて図５のように向きを変えた場合には、上部パイプ２２ｃも１８０度回転されて、図７（ａ）から図７（ｂ）に示すように、取付プレート３４が外側を向く。このとき、運転座席１４側（同一方向側）から容易にロックピン３６を操作できるように、前記ボルト３８・３８を外して受部３５ｂを、ロックピン３６を中心に１８０度回転して、取付面３５ａが外側となるようにして、前記取付プレート３４の反対面にボルト３８・３８により固定する。こうして、後支柱２２を反転させても、ロックピンユニット３３を付け替えることにより、ロックピン３６の操作方向を同一方向とすることができる。この時、ロックピン３６の短い側を上の凹部３５ｃから下の凹部３５ｃに差し替える。凹部３５ｃにロックピン３６が嵌め込まれていることにより、ロックピン３６が固定孔２２ｅに挿入されていることが確認できる。
【００３２】
また、図６に示すように、機体フレーム５と後支柱２２下部との間には左右幅調節手段が設けられている。つまり、後支柱２２の前記基部パイプ２２ａの内側の水平部に左右調節手段が形成され、機体フレーム５に左右位置調節可能に固定される。前記機体フレーム５の後部には、固定パイプ２７が軸心を左右方向に向けて固定され、該固定パイプ２７に基部パイプ２２ａの水平部が挿入される。該基部パイプ２２ａの水平部には固定孔２２ｆが複数適宜間隔をあけて開口され、固定パイプ２７にも固定孔２７ａが開口されている。こうして、左右幅調節手段はボルトの差し替えにより幅変更でき、固定パイプ２７に基部パイプ２２ａの水平部を所望の位置まで挿入して該固定孔２７ａと前記固定孔２２ｆの位置を合わせてボルトにより固定可能としている。但し、固定構造は限定するものではなく、ピン等により固定してもよい。
【００３３】
前記固定パイプ２７は軸心を左右方向に向けて機体フレーム５に固定されるが、田植機に応じて固定構造が異なる。つまり、５条植えや６条植えの幅の狭い田植機では、図８に示すように、機体フレーム５の後サブフレーム５７にブラケット５８を介して固定される。７条植えや８条植えの幅の広い田植機では、図９に示すように、固定パイプ２７はブラケット５９・６０を介して後サブフレーム５７と補助フレーム５４とに固定される。
【００３４】
このような構成において、５条植えや６条植えの幅の狭い田植機では、固定パイプ２７に対して基部パイプ２２ａを左右幅が狭くなるように挿入して固定孔２７ａ・２２ｆの位置を合わせてピンにより固定する。後支柱２２上部のブラケット６３は内側から取付プレート６３ｂを取付ステー６２の水平部に当ててボルト６４・６４により固定する。
７条植えや８条植えの幅の広い田植機では、固定パイプ２７に対して基部パイプ２２ａを左右幅が広くなるように挿入して固定孔２７ａ・２２ｆの位置を合わせてピンにより固定する。後支柱２２上部のブラケット６３は外側から取付プレート６３ｂを取付ステー６２の水平部に当ててボルト６４・６４により固定する。
【００３５】
また、前記日除け装置２０におけるルーフ２４は本実施形態では布製（シート状）としており、不要なときには、外して別に格納したり、折り畳んで収納したり、巻いて収納したりできるようにしている。
前記ルーフ２４を布製のルーフ２４１で構成して着脱可能とする第一実施形態について、図１０より説明する。
【００３６】
ルーフ２４１はルーフフレーム２３に対して容易に着脱可能とするために、一端（前側）に袋状部２４１ａを設け、他の周囲には固定具が設けられる。即ち、ルーフ２４１はルーフフレーム２３の外形に合せた形状とし、前部を上下二枚として前周囲を閉じて後方が開放される袋状部２４１ａとする。該袋状部２４１ａにルーフフレーム２３の前部の尖状部を収納し、袋状部２４１ａの内面側には容易に固定・解除できる面状ファスナー７１を設けて、ルーフフレーム２３の外枠２３ａの前部を収納した状態で、面状ファスナー７１を用いて固定できるようにしている。
【００３７】
また、ルーフ２４１の袋状部２４１ａ以外の外周には、固定具として取付片７２・７２・・・が所定間隔をあけて外方に突出して設けられる。該取付片７２・７２・・・にそれぞれ面状ファスナー７１・７１・・・の雄部または雌部を取り付けて、ルーフ２４１の裏面に面状ファスナー７１・７１・・・の雌部または雄部を取り付けている。なお、袋状部２４１ａを大きく構成することにより、取付片７２及び面状ファスナー７１の数を減少でき、組み立てにかかる手間も減少できる。但し、固定具は面状ファスナー７１に限定するものではなく、ホックやボタンやベルトとバックル等容易に固定・解除ができるものであればよい。
【００３８】
また、袋状部２４１ａを設ける代わりに、係止部を設ける構成とすることもできる。ルーフ２４１の一端に係止部を設ける場合には、一端にフック等を設けてルーフフレーム２３の外枠２３ａに係止し、他の周囲を前記同様に固定具により固定する。
また、ルーフ２４１の後辺の左右中央には切れ目２４１ｂが設けられ、取付時において、左右中央が容易に分かり、位置合わせが容易にでるようにしている。また、ルーフ２４１の周囲の各辺を異なる色で着色し、ルーフフレーム２３の外枠２３ａの辺も着色することもできる。このように着色することで、組み立て時に取り付け位置が容易に認識でき、作業が簡単で、短時間で行えるようにすることもできる。
【００３９】
このような構成において、袋状部２４１ａを外枠２３ａの前部に被せるだけでルーフ２４１の前部の仮止ができ、次に、ルーフ２４１をルーフフレーム２３全体に被せて、後方へ引っ張り後辺の中央を切れ目２４１ｂで合わせて、皺がよらないように面状ファスナー７１・７１を用いて外枠２３ａに固定する。こうして、ルーフ２４１の取り付けが容易に行える。
そして、作業終了や輸送等でルーフ２４１を外す場合には、面状ファスナー７１・７１・・・を外し、ルーフ２４１を前方へ引っ張るだけで、ルーフ２４１をルーフフレーム２３から容易に取り外すことができ、外した後のルーフ２４１は折り畳んで小さくして格納しておくことができる。
【００４０】
また、図１５に示すように、ルーフ２４１は取付片７２を設ける代わりに、外周に折り返し部分を設けて面状ファスナー７１を用いて固定する構成することもできる。即ち、ルーフ２４１はルーフフレーム２３の外形よりも、外枠２３ａを包み込める程度大きく構成して、ルーフ２４１の前側と前側部の折り返しを一体的に構成して袋状部２４１ａを形成し、後部と後側部の折り返しは単独でめくれるように構成する。そして、このルーフ２４１の外周を内側に折りこんだ部分に帯状の面状ファスナー７１を取り付けて固定するようにしている。また、ルーフ２４１の中央部分を固定するために、前後中央の横フレーム２３ｃを縛る如く、取付片２４１ｃ・２４１ｃを設けている。また、前記後辺の左右中央に切れ目２４１ｂを設ける代わりにマーク１４１ｄを折り返し部に設けている。
こうして、容易にルーフ２４１を着脱できるようにしている。
【００４１】
前記ルーフ２４を布製のルーフ２４２として着脱可能に構成した第二実施形態について説明する。
図１１に示すように、該ルーフ２４２はルーフフレーム２３の外形に合せた形状とし、ルーフ２４２の前辺からは前垂部２４２ａが形成されて下方へ延設し、該前垂部２４２ａの前端の左右両側から短冊状の把手２４２ｂ・２４２ｂが更に突出されている。但し、把手２４２ｂの数は限定しない。前記前垂部２４２ａは前側の外枠２３ａを覆う程度の大きさとし、前垂部２４２ａが外枠２３ａを覆った状態で前方より嵌合体７３を嵌合することによって、ルーフ２４２の前部を固定する構成としている。嵌合体７３は外枠２３ａを形成するパイプの直径よりやや小さい断面視略Ｃ字状の所定幅（外枠２３ａの前端の幅）を有する弾性体で構成されている。
こうして、外枠２３ａにルーフ２４２の前部の前垂部２４２ａを巻き付けた状態で外側から嵌合体７３を嵌合することにより、ルーフ２４２の前部の前垂部２４２ａを嵌合体７３と外枠２３ａとの間に挟んで固定することができる。外すときは、把手２４２ａ・２４２ａを引っ張ることにより、嵌合体７３が広がり外枠２３ａの前部から外すことができる。
【００４２】
ルーフ２４２の後部は、後端の左右両側から紐状の固定部２４２ｃ・２４２ｃが下方へ垂らして延設される。固定部２４２ｃの下端は機体フレーム５に結んで固定する。固定部２４２ｃは紐状で細く形成され、後方の視界を妨げないようにしている。
機体フレーム５上には蓋付の収納部７４が設けられ、ルーフ２４２を外して丸めて、または、折り畳んで収納部７４内に収納できるようにしている。前記固定部２４２ｃ・２４２ｃは収納部７４内に固定してもよい。
【００４３】
次に、ルーフ２４を布製のルーフ２４３として巻き取り可能に構成した第三実施形態について説明する。
ルーフ２４３は、図１２に示すように、ルーフフレーム２３の外形に合せた形状とするとともに、ルーフフレーム２３に沿って引出・収納可能としている。即ち、ルーフ２４３は前後一側（後側）に設けられた収納部７４に巻き取り収納可能に構成されている。収納部７４はロール軸７４ａが左右方向に回転自在に支持され、該ロール軸７４ａと収納ケース７４ｂとの間には図示しない捩じりバネが介装されている。該ロール軸７４ａにルーフ２４３の一端（後辺）が固定され、ルーフ２４３の後辺以外の辺には前記同様に取付片７２（図示せず）が設けられ、ルーフフレーム２３の外枠２３ａに固定できるようにしている。
【００４４】
こうして、日除けとする場合には、収納ケース７４ｂからルーフ２４３の一端を引き出して、周囲を取付片７２・７２・・・により外枠２３ａに固定する。不要の場合には固定具を外すだけで、捩じりバネの巻き取り力によりロール軸７４ａに巻き取られて、収納ケース７４ｂ内に収納される。但し、ルーフ２４３をロール軸７４ａに巻き取る構成は、捩じりバネに限定するものではなく、ロール軸７４ａの一端にハンドルを取り付けて、手動で巻きとってもよい。
【００４５】
次に、ルーフ２４を布製のルーフ２４４として自動で展開・巻取可能に構成した第四実施形態について説明する。
ルーフ２４４は、図１３に示すように、ルーフフレーム２３の外形に合せた形状とするとともに、ルーフフレーム２３の一側（前側）に巻取軸７６が設けられ、該巻取軸７６にルーフ２４４の一端（前辺）を固定して巻き取れるようにしている。該巻取軸７６の左右一側にはモータ７７が連結され、該モータ７７は運転座席１４近傍に配置した操作スイッチにより操作可能としている。ルーフ２４４の他端（後辺）にはワイヤ７９の一端が連結され、ワイヤ７９の他端がモータ７８の出力軸となる巻取軸７８ａに連結されている。該巻取軸７８ａはルーフフレーム２３の後側に配置され、モータ７８は運転座席１４近傍に配置した操作スイッチにより操作可能としている。
【００４６】
このような構成において、モータ７７を駆動することにより、ルーフ２４４は巻取軸７６に巻き取られて収納することができる。また、モータ７８を駆動することにより、ワイヤ７９を巻き取って、ルーフ２４４を引き出して展開することができる。なお、ルーフ２４４の左右両側に取付片７２・７２・・・を設けて展開時に固定することもできる。また、左右両側のルーフフレーム２３に沿ってレールを設けて、モータ７７またはモータ７８を駆動して巻き取るときに、ルーフ２４４の左右両側をレールでガイドする構成とすることもできる。また、一つのモータ７７によりルーフ２４４及びワイヤ７９を巻き取るように構成することもでき、この場合、モータ７７の出力軸にクラッチを設けて巻取時と展開時で正逆転を切り換えるように構成する。
【００４７】
次に、ルーフ２４を布製のルーフ２４５として折り畳み可能に構成した第五実施形態について説明する。
ルーフ２４５はルーフフレーム２３の外形に合せた形状とするとともに、折り畳んで左右中央または側部に寄せて収納可能としている。ルーフ２４５を左右中央に折り畳む構成について、図１４より説明する。ルーフフレーム８０は、左右中央で前後方向に配置されるセンターフレーム８０ａと、センターフレーム８０ａの後部を固定し、左右方向に延設して両側が後支柱２２・２２に固定される後フレーム８０ｃと、センターフレーム８０ａの前部を支持し、左右方向に延設して両側が前支柱２１・２１に固定される前フレーム８０ｂとにより構成される。こうして、ルーフフレーム８０は平面視で略Ｈ字状に構成される。
【００４８】
ルーフ２４５は平面視略二等辺三角形状に構成され、ルーフ２４５の前頂部がセンターフレーム８０ａの前部に固定され、ルーフ２４５の左右両側の二辺はサイドロッド２４５ａ・２４５ａに固定され、ルーフ２４５の後部辺（底辺）は両端がサイドロッド２４５ａ・２４５ａの後端に固定され、後部辺の中央がセンターフレーム８０ａの後端（または後フレーム８０ｃ）に固定される。
前記サイドロッド２４５ａ・２４５ａの前端はセンターフレーム８０ａの前部、または、前フレーム８０ｂの左右中央に左右回動自在に枢支される。前記センターフレーム８０ａには、センターフレーム８０ａの外形に合わせパイプ状の開閉操作体８１が摺動自在に外嵌される。該開閉操作体８１と前記サイドロッド２４５ａ・２４５ａの前寄りの前部との間には連結ロッド８２・８２が回動可能に連結される。
【００４９】
このような構成は、傘と同様の構成となり、センターフレーム８０ａが傘の中棒（シャフト）、サイドロッド２４５ａが傘の親骨（リブ）、連結ロッド８２が傘の受骨（ストレッチャー）開閉操作体８１が傘の下ろくろ（ランナー）となる。こうして、開閉操作体８１を前方へ摺動させると、連結ロッド８２・８２が外方へ押されてサイドロッド２４５ａ・２４５ａは前部を中心として側方へ回動し、ルーフ２４５が広げられ、連結ロッド８２・８２が突っ張った状態でサイドロッド２４５ａ・２４５ａを保持して、展開した日除け位置となる。この状態から折り畳む場合、開閉操作体８１を後方へ摺動させると、連結ロッド８２・８２を介してサイドロッド２４５ａ・２４５ａを左右中央側（センターフレーム８０ａ側）に回動させ、閉じられた収納位置となる。こうして、ルーフ２４５は開閉操作体８１を摺動操作するだけで、傘の如く簡単に展開・収納が行えるようになる。
【００５０】
なお、ルーフ２４５の展開・収納操作を手動で行う構成とした場合、センターフレーム８０ａ上の開閉操作体８１は、少なくとも収納位置と日除け位置で固定されるように、固定部材が設けられている。また、開閉操作体８１を任意位置で固定できるようにしている。固定部材は、例えば、ボルトにより締め付けたり、ピンをピン孔に挿入したりするようにしている。なお、展開時にルーフ２４５を補強するために、サイドロッド２４５ａ・２４５ａとセンターフレーム８０ａの間に補強ロッドを設けてルーフ２４５に固定し、該補強ロッドの中途部と開閉操作体８１の間に連結ロッドを設けて、展開時と収納時にサイドロッド２４５ａ・２４５ａの回動とともに補強ロッドが回動するように構成することもできる。
【００５１】
また、ルーフ２４５を自動で展開・収納を行う構成とした場合には、センターフレーム８０ａにラックが形成され、開閉操作体８１に出力軸にピニオンを設けたモータが設けられ、該モータを運転席１４の近傍に設けたスイッチ等の操作部材により正転または逆転させて展開・収納できるようにする。ただし、センターフレーム８０ａと平行に設けたシリンダにより開閉操作体８１を摺動させることも可能であり、展開・収納駆動構成は限定するものではない。なお、収納位置でのルーフ２４５はベルト等を用いてセンターフレーム８０ａに縛りつけてコンパクトに収納して固定できるようにしている。
以上のように構成することで、ルーフ２４５の展開・収納の操作が容易にでき、輸送等において取り外す必要がなくなり、ルーフ２４５の取扱いが容易にできるようになる。
【符号の説明】
【００５２】
１    田植機
２    走行部
４    植付部
５    機体フレーム
１４  運転座席
２０  日除け装置
２１  前支柱
２２  後支柱
２３  ルーフフレーム
２４  ルーフ
【図１】
0006793455.tif 000002
【図２】
0006793455.tif 000003
【図３】
0006793455.tif 000004
【図４】
0006793455.tif 000005
【図５】
0006793455.tif 000006
【図６】
0006793455.tif 000007
【図７】
0006793455.tif 000008
【図８】
0006793455.tif 000009
【図９】
0006793455.tif 000010
【図１０】
0006793455.tif 000011
【図１１】
0006793455.tif 000012
【図１２】
0006793455.tif 000013
【図１３】
0006793455.tif 000014
【図１４】
0006793455.tif 000015
【図１５】
0006793455.tif 000016